(57)【特許請求の範囲】
【請求項１】
屋根パネルを敷き詰めることにより形成され、かつ、傾斜した屋根面から形成される屋根を設計するに際し、その設計すべき屋根の屋根面上に配置される屋根パネルを支持する小屋梁の両端に配置される梁受け金物を割り付ける小屋梁受け金物割付装置であって、
予め入力された平面図上の屋根の形状を記憶する形状記憶手段と、
この形状記憶手段に記憶された前記平面図上の屋根の屋根面に、その屋根面の傾斜方向に沿って、前記屋根パネルがそれに敷設される屋根葺材および屋根上の積雪等による荷重に耐え得る、前記傾斜方向に沿った前記屋根パネルの平面図上の長さである許容値分の間隔をあけるとともに前記傾斜方向に対して直角に配置され、かつ、少なくとも前記傾斜方向に直角な前記小屋梁の位置を示す基準線を作成する基準線作成手段と、
この基準線作成手段により作成される前記平面図上の前記基準線に沿って割り付けられる前記小屋梁に対応して、その両端に配置する前記梁受け金物の種類を決定する梁受け金物割付手段とを具備してなることを特徴とする小屋梁受け金物割付装置。
【請求項２】
前記小屋梁の種類は、両端を壁に架ける大梁と、この大梁に少なくとも一端が架けられて両端の高さが同じ小梁とからなり、
前記大梁は、両端の高さが同じ場合に屋根梁とし、両端の高さが違う場合に登り梁を含むＢ梁とし、
このＢ梁および前記小梁の納まりは、垂直納まりのみであり、
前記屋根梁の納まりは、垂直納まり、または屋根面の勾配に沿った勾配納まりであることを特徴とする請求項１記載の小屋梁受け金物割付装置。
【請求項３】
前記梁受け金物は、前記勾配納まり、または水平納まりの梁受け合板を介して壁や梁部材に固定されるもので、
前記Ｂ梁の下端側に対応する形状タイプＡの梁受け金物と、
前記Ｂ梁の上端側と前記屋根梁および前記小梁の端部で前記梁受け合板が前記勾配納まりの場合に対応するＲ・Ｌの区別がある形状タイプＣの梁受け金物と、前記Ｂ梁の上端側と前記屋根梁および前記小梁の端部で前記梁受け合板が前記水平納まりの場合に対応する形状タイプＢの梁受け金物と分けられていることを特徴とする請求項２記載の小屋梁受け金物割付装置。
【請求項４】
前記Ｂ梁の登り部分の水平方向長さが所定長さ未満では、梁断面よりサイズが１ランク下の前記形状タイプＢの梁受け金物を前記Ｂ梁の下端側に使用することを特徴とする請求項３記載の小屋梁受け金物割付装置。
【請求項５】
前記形状タイプＢの梁受け金物は、梁断面よりサイズが１ランク下のものを使用することを特徴とする請求項３記載の小屋梁受け金物割付装置。
【発明の詳細な説明】
【０００１】
【産業上の利用分野】
本発明は、屋根を設計する際に、その屋根を支持する大梁（屋根梁、Ｂ梁（後述））、母屋（小梁）等の小屋梁の両端に配置する梁受け金物を割り付ける小屋梁受け金物割付装置に関するものである。
【０００２】
【従来の技術】
プレハブ住宅を施工する方法の一つとして、住宅の床、壁、天井、屋根等をパネルを用いて施工する方法が知られている。この施工方法においては、予め、工場等において、芯材を枠組みすることにより枠体を形成し、この枠体の少なくとも一面に面材を貼設することにより床パネル、壁パネル、天井パネル、屋根パネル等を製造し、建築現場において、これらのパネルを組み付けていくことにより建物を構築するものである。
【０００３】
ところで、近年、各種の設計においては、コンピュータシステムからなるＣＡＤシステム（Ｃｏｍｐｕｔｅｒ−Ａｉｄｅｄ  Ｄｅｓｉｇｎ）が用いられており、前記のような住宅においても、ＣＡＤシステムを用いて設計が行われる場合がある。一般的なＣＡＤシステムにおいては、予め、設計要素となる部材の形状データやグラフィックデータやその他のデータをデータベース（Ｄ／Ｂ）として記憶しておき、設計の際にこれらのデータを呼び出し、ディスプレイの製図上に各部材を配置することにより製図が作成され、設計作業を省力化できるようになっている。
【０００４】
したがって、従来の住宅のＣＡＤシステムのディスプレイ上においては、間取りを決めることにより、壁や床や天井等のデータが読み出されて配置され、屋根の形状（寄棟、切妻等）を決めることにより、屋根のデータが読み出されて配置され、窓やドア等の部材と、その位置を決めることにより、窓やドア等のデータが読み出されて配置され、住宅の形状がディスプレイに図形（三面図や斜視図）として示されるとともに、設計図として出力されるようになっている。
【０００５】
【発明が解決しようとする課題】
ところで、前記のようなパネルを用いたプレハブ住宅の設計においては、床、壁、天井、屋根に、予め、サイズや形状が決められたパネルを割り付ける必要がある。また、ＣＡＤシステム上において、床、壁、天井、屋根は、必ずしも、パネルの形状にしたがって設計されるものではなく、発注先の設計要求にしたがって決められるので、ＣＡＤシステムの設計図上において、単にパネルの端から順番かつ機械的に割り付けた場合に、隙間ができたり、大きなパネルを配置すればよいところに複数の小さなパネルが配置されたりして、効率の悪いパネルの割り付けとなる可能性が高かった。
【０００６】
前述のように効率の悪いパネルの割り付けのまま、住宅を建築するものとした場合には、工場において、前記隙間を埋めるための特注サイズのパネルを製造したり、大きいパネルに比較して生産効率の悪い小さなパネルを多く製造したりする必要があり、工場におけるパネルの生産性を低下させていた。さらに、建築現場においては、小さなパネルや隙間を埋めるパネルを用いることによりパネルの接合作業が増えたり、パネル同士の僅かな隙間を埋めるための部材を製造したりしなければならなかった。
【０００７】
したがって、パネルの割り付け方法が悪いと、住宅の生産性を低下させるとともに、そのコストを増大させることになる。
【０００８】
特に、屋根の場合には立体的に構成されるので、壁や床のように平面上でパネルの割り付けを行うことが困難であり、屋根の傾斜した複数の屋根面を別々に扱うとともに、屋根勾配の側断面図等を用いてパネルの割り付けを決める必要があった。また、複合屋根においては、通常の寄棟屋根や切妻屋根に比較して屋根面の形状の種類が増えるので、パネルの割り付けがさらに困難なものとなり、ＣＡＤ上において、パネルを効率よく自動的に割り付けることが極めて困難であった。
【０００９】
そして、このような屋根パネルの接合部に配置される大梁（屋根梁、Ｂ梁）、屋根パネルの中間部を支持する母屋（小梁）等の小屋梁の割り付けについても、効率よく自動化することが望まれる。
【００１０】
さらに、このような小屋梁の両端に設ける補強用の梁受け金物についても、小屋梁の垂直納まりや勾配納まりの相違、サイズの相違等に応じた形状タイプがあるため、このような形状タイプが異なる梁受け金物の割り付けについても、効率よく自動化することが望まれる。
【００１１】
そこで、本発明の目的は、前記のようなパネルから構築される建物の屋根において、その屋根面に配置する屋根パネルの接合部や中間部を支持する小屋梁の両端に配置する梁受け金物を効率よく自動的に割り付ける小屋梁受け金物割付装置を提供することにある。
【００１２】
【課題を解決するための手段】
以上の課題を解決すべく本発明の小屋梁受け金物割付装置は、屋根パネルを敷き詰めることにより形成され、かつ、傾斜した屋根面から形成される屋根を設計するに際し、その設計すべき屋根の屋根面上に配置される屋根パネルを支持する小屋梁の両端に配置される梁受け金物を割り付けるものであり、予め入力された平面図上の屋根の形状を記憶する形状記憶手段（Ｉ）と、この形状記憶手段（Ｉ）に記憶された前記平面図上の屋根の屋根面に、その屋根面の傾斜方向に沿って、前記屋根パネルがそれに敷設される屋根葺材および屋根上の積雪等による荷重に耐え得る、前記傾斜方向に沿った前記屋根パネルの平面図上の長さである許容値分の間隔をあけるとともに前記傾斜方向に対して直角に配置され、かつ、少なくとも前記傾斜方向に直角な前記小屋梁の位置を示す基準線を作成する基準線作成手段（ＩＩ）と、この基準線作成手段（ＩＩ）により作成される前記平面図上の前記基準線に沿って割り付けられる前記小屋梁に対応して、その両端に配置する前記梁受け金物の種類を決定する梁受け金物割付手段（ＩＩＩ）とを具備してなる構成としている。
【００１３】
なお、前記小屋梁の種類は、両端を壁に架ける大梁と、この大梁に少なくとも一端が架けられて両端の高さが同じ小梁とからなり、例えば、前記大梁は、両端の高さが同じ場合に屋根梁とし、両端の高さが違う場合に登り梁を含むＢ梁とする。そして、このＢ梁および前記小梁の納まりは、垂直納まりのみであり、また、前記屋根梁の納まりは、垂直納まり、または屋根面の勾配に沿った勾配納まりである。
【００１４】
また、前記梁受け金物は、例えば、前記勾配納まり、または水平納まりの梁受け合板を介して壁や梁部材に固定されるものである。そして、前記Ｂ梁の下端側に対応する形状タイプＡの梁受け金物と、前記Ｂ梁の上端側と前記屋根梁および前記小梁の端部で前記梁受け合板が前記勾配納まりの場合に対応するＲ・Ｌの区別がある形状タイプＣの梁受け金物と、前記Ｂ梁の上端側と前記屋根梁および前記小梁の端部で前記梁受け合板が前記水平納まりの場合に対応する形状タイプＢの梁受け金物と分けられている。
【００１５】
そして、前記Ｂ梁の登り部分の水平方向長さが所定長さ未満では、梁断面よりサイズが１ランク下の前記形状タイプＢの梁受け金物を前記Ｂ梁の下端側に使用する。
【００１６】
また、前記形状タイプＢの梁受け金物は、梁断面よりサイズが１ランク下のものを使用する。
【００１７】
【作用】
先ず、形状記憶手段（Ｉ）は、平面図上の屋根の形状を記憶しており、その平面図上において、屋根パネルを支持する小屋梁の位置を決める基準線が作成される。そして、基準線作成手段（ＩＩ）は、前記平面図上の屋根面に、その屋根面の傾斜方向に、前記屋根パネルがそれに敷設される屋根葺材および屋根上の積雪等による荷重に耐え得る、前記傾斜方向に沿った前記屋根パネルの平面図上の長さである許容値分の間隔をあけて、小屋梁の位置を示す基準線を作成する。さらに、梁受け金物割付手段（ＩＩＩ）は、前記平面図上の前記基準線に沿って割り付けられる小屋梁の両端に配置する梁受け金物の種類を決定する。従って、小屋梁受け金物の割り付けが容易なものとなる。
また、基準線作成手段（ＩＩ）が、平面図上の屋根面に、屋根面の傾斜方向に沿った屋根パネルの平面図上の長さである許容値分の間隔をあけて、基準線を作成するので、従来と異なり、基準線の作成において、屋根勾配上で屋根パネルを割り付けた後に、各屋根面の傾斜角と屋根パネルのサイズを元にして、平面図上で基準線を引くべき位置（小屋梁の位置）を算出する必要がなくなる。
したがって、屋根勾配上で屋根パネルを割り付ける作業が不要となり、平面図上のみで基準線を引くべき位置が決定されるので、従来に比べて、基準線の作成がより容易なものとなる。
また、基準線作成手段（ＩＩ）が、屋根パネルがそれに敷設される屋根葺材および屋根上の積雪等による荷重に耐え得る長さである許容値分の間隔をあけて基準線を作成し、梁受け金物割付手段（ＩＩＩ）が、基準線に沿って割り付けられる小屋梁の両端に配置する梁受け金物の種類を決定するので、屋根パネルが荷重を耐え得る最大の間隔で、小屋梁および該小屋梁の両端に位置する梁受け金物が配置されることになる。したがって、屋根面に比較的大きい屋根パネルが割り付けられることになる。
また、屋根面に比較的大きい屋根パネルが割り付けられるため、屋根面に割り付けられる屋根パネルの数が削減される。
【００１８】
例えば、前記小屋梁のうち両端を壁に架ける大梁において、両端の高さが同じ屋根梁は、垂直納まり、または屋根面の勾配に沿った勾配納まりに設定される。また、前記大梁のうち両端の高さが違う登り梁を含むＢ梁は、垂直納まりのみに設定される。さらに、前記大梁に少なくとも一端が架けられて両端の高さが同じ小梁は、垂直納まりのみに設定される。
【００１９】
また、前記梁受け金物は、例えば、勾配納まり、または水平納まりの梁受け合板を介して壁や梁部材に固定される。例えば、先ず、前記Ｂ梁の下端側に対応する形状タイプＡの梁受け金物から割り出される。次に、前記Ｂ梁の上端側と前記屋根梁および前記小梁の端部で前記梁受け合板が勾配納まりの場合に対応する形状タイプＣの梁受け金物が割り出される。この形状タイプＣの梁受け金物には、屋根の流れ方向に対応した右下がりＲ型と左下がりのＬ型がある。さらに、前記Ｂ梁の上端側と前記屋根梁および前記小梁の端部で前記梁受け合板が水平納まりの場合に対応する形状タイプＢの梁受け金物が割り出される。
【００２０】
そして、前記Ｂ梁の下端側において、例えば、そのＢ梁の登り部分の水平方向長さが所定長さ未満では、梁断面よりサイズが１ランク下の前記形状タイプＢの梁受け金物が使用される。
【００２１】
また、前記形状タイプＢの梁受け金物において、例えば、梁断面よりサイズが１ランク下のものが使用される。
【００２２】
なお、前記［課題を解決するための手段］および［作用］の項において、図１に示す符号により本発明を説明したが、本発明が図１に示す構成に限定される趣旨でないことは勿論である。
【００２３】
【実施例】
以下に、本発明に係る小屋梁受け金物割付装置の実施例を図１乃至図６０に基づいて説明する。
【００２４】
なお、この実施例の割付装置は、本発明の小屋梁受け金物割付装置を、コンピュータシステムにより構成されるＣＡＤシステムに応用したものであり、この実施例において、割付装置は、ＣＡＤシステムの一部として機能するようになっている。そして、ＣＡＤシステムの一部である割付装置は、前記ＣＡＤシステムにより設計された屋根に、屋根パネルや小屋梁を割り付けるための母屋線（基準線）を作成するものである。また、前記ＣＡＤシステムは、前記のように設計された屋根に前記母屋線（基準線）に基づいて屋根パネルや小屋梁およびその梁受け金物を割り付けるものである。
【００２５】
ここで、前記割付装置を説明する前に、説明を容易にするため、図２乃至図４を参照して屋根の基本的な構造を説明する。図２は、複合寄棟屋根の屋根パネルＰの配置例を示したものであり、図３および図４は、その屋根パネルＰの接合部を支持する小屋梁Ｂの配置の一例を示したものである。
【００２６】
先ず、図２に示す寄棟屋根は、各種形状の屋根パネルＰ，Ｐ，Ｐ，…を割り付けた複合タイプのものとなっており、その屋根パネルＰ，Ｐ，Ｐ，…の下方は、図３および図４に示すように、複数の壁（外壁１ａ、内壁１ｂ）１，１，１，…により建物が構成されている。これら壁１，１，１，…のうちの耐力壁もしくは支持壁となるものについては、その上側縁が屋根の裏面まで達するように立ち上げられている。
【００２７】
即ち、屋根の屋根面の傾斜方向と平行に配置される内壁１ｂ，１ｂ，１ｂは、その上端部が屋根裏面に沿うように三角形状に形成され（屋切パネル）、屋根面の傾斜方向と直角に配置される外壁１ａ，１ａ，１ａ，…は、その上端面が水平にされている。なお、耐力壁は、垂直荷重と水平荷重との両方を受けるものであり、支持壁は、主に垂直荷重を受けるものである。
【００２８】
そして、これら壁１，１，１，…の上端部には、屋根を支持する小屋梁Ｂが架け渡されている。これら小屋梁Ｂのうち、両端を壁１，１にかける梁を大梁と称し、この大梁には、屋根梁２とＢ梁３の二種類がある。屋根梁２は、両端を壁１，１に水平に架け渡す梁であり、屋根面の傾斜方向に対して直角に配置されるものである。Ｂ梁３は、途中で折れ曲がるか、登り形状（斜めに傾斜した直線状）の梁であり、少なくとも一部が屋根面の傾斜方向に平行に配置されるものである。
【００２９】
また、図６に示すように、Ｂ梁３のうちの曲がったＢ梁３ａは、図５に示す小屋組に使われる陸梁５、束６、母屋７の役割を一つの梁で果たすものである。即ち、このＢ梁３ａは、基本的に、屋根面の傾斜に沿って配置される勾配部３ｃと、屋根面の傾斜方向に対して直角に配置される水平部３ｄとが一体になることで曲がった（Ｂｅｎｔ）形状に形成された登り折れ梁のことである。この登り折れ梁３ａを用いることにより、梁の部品点数を減らすことができるとともに、屋根裏に陸梁５が配置されなくなり、屋根裏の空間を大きくとることができる。
【００３０】
なお、図７に示すように、屋根面の傾斜に沿って配置される直線状の登り梁３ｂも、Ｂ梁３の一種とする。
【００３１】
そして、図３および図４に示すように、このようなＢ梁３、屋根梁２に少なくとも一端が架けられた梁を小梁４と称する。
【００３２】
また、大梁（屋根梁２、Ｂ梁３）と小梁４との区別は、小屋梁Ｂの断面積（この実施例において、各小屋梁Ｂは、左右の厚みが略同じに形成され、上下の厚みを変えることにより耐力を調整している。）ではなく、小屋梁Ｂの両端部を支持するものにより決められるものとなっている。即ち、両端部が壁１，１に支持されているものだけが大梁（屋根梁２、Ｂ梁３）となり、梁の両端部の少なくとも一方が屋根梁２もしくはＢ梁３に支持されているものが小梁４となる。
【００３３】
なお、図２に示したように、屋根パネルＰ，Ｐ，Ｐ，…により構成される屋根においては、一般の現場軸組の建物に形成される垂木に代わって、屋根パネルＰ，Ｐ，Ｐ，…の芯材（図示略）が屋根面を支持するようになっている。
【００３４】
以上のような屋根パネルＰ，Ｐ，Ｐ，…を配置する際に、その屋根面の傾斜に沿って上下に接合される屋根パネルＰ，Ｐ，Ｐ，…の接合部には、必ず、その裏面に屋根パネルＰ，Ｐ，Ｐ，…の上下側縁を支持する小屋梁Ｂが配置されるようになっている。即ち、屋根パネルＰ，Ｐ，Ｐ，…の上下の接合部に沿って、屋根梁２、Ｂ梁（登り折れ梁）３ａの水平部３ｄおよび小梁４が配置されている。
【００３５】
次に、図８に示される割付装置の基本構成を参照して、小屋梁およびその梁受け金物の割付装置を説明する。
【００３６】
図８に示す前記小屋梁およびその梁受け金物の割付装置を備えたＣＡＤシステムは、周知のように、中央演算処理ユニットや内部記憶装置となるＲＡＭおよびＲＯＭ等のメモリなどを備えた演算処理装置（コンピュータ）１１と、ハードディスク、光磁気ディスク等からなる補助記憶装置１２と、カラーディスプレイ等からなる表示装置１３と、キーボード等からなる入力装置１４と、マウス、タブレット、デジタイザー等からなるポインティングデバイス（座標位置入力装置）１５と、プリンターおよびプロッター等からなる出力装置１６とを基本的構成とするものである。
【００３７】
補助記憶装置１２には、住宅を構築するための各種部材の内部コードＮｏ．、グラフィックデータ、形状データ、発注用製品コードＮｏ．、各種部材の単価等がデータベースとして記憶されるとともに、ＣＡＤシステム上で設計されたデータが記憶されている。また、補助記憶装置１２は、ＣＡＤシステムにより設計されたデータとして屋根の形状を示すデータを記憶する。
【００３８】
なお、補助記憶装置１２に記憶された屋根の形状のうち、割付装置で用いられる屋根の形状データは、図９以降に示すように、平面図上の屋根である。また、補助記憶装置１２において、平面図上の屋根は、屋根の外周を示す外周線と、屋根の各屋根面を分割する棟線（棟を示す）、隅棟線（隅棟を示す）および谷隅線（谷隅を示す）と、屋根の傾斜する屋根面と外壁が接合する部分を示す外壁線と、その外壁線の水平な部分が含まれる水平な平面と屋根面との交差する部分を示す桁線とから構成されるものである。また、平面図上の屋根には、外壁以外の内壁（支持壁もしくは耐力壁）の位置を示す壁線も含まれる。
【００３９】
さらに、補助記憶装置１２には、屋根パネルの長さの許容値が、屋根の傾斜角、積雪量の異なる地域、重量の異なる屋根材の種類に対応したデータテーブルとして記憶されている。このデータテーブルに登録された値は、屋根パネルの強度に基づいて決められた屋根の傾斜方向に沿った屋根パネルの平面図上の長さ（許容値）と、屋根の外壁線上に配置される屋根パネルの上側縁と外壁線との平面図上の長さ（初回許容値）とを示すものである。
【００４０】
そして、前記許容値もしくは初回許容値となる屋根パネルの平面図上の長さとは、屋根面に屋根パネルを配置した際の屋根パネルの上下側縁間の水平距離（三角形状の屋根パネルの場合は、例えば、頂点と底辺との水平距離）であり、実際の屋根パネルの長さより短いものである。なお、屋根パネルの平面図上の長さは、後述するモジュール単位となっている。
【００４１】
また、前記データテーブルの値（許容値、初回許容値）は、屋根の傾斜角（勾配）の後述する種類（１／１２、１／３、１／２、２／３、１／１）と、積雪量により分けられた地域（一般Ａ、一般Ｂ、多雪Ａ、多雪Ｂ、多雪Ｃ）と、屋根葺材の種類（鉄板、石綿板、瓦）とにより分けられている。屋根の傾斜角、積雪量の異なる地域、重量の異なる屋根葺材で分類された許容値は、前述のように屋根パネルの強度に基づいて決められたものであり、屋根の傾斜方向に沿った屋根パネルの平面図上の長さが、前記許容値以内の場合には、屋根パネルを屋根の傾斜に合わせた角度で配置し、かつ屋根パネルの上下側縁を梁によって支持した状態で、屋根葺材、屋根上の積雪等による荷重に充分に耐え得るようになっている。
【００４２】
また、初回許容値については、桁線上に配置される屋根パネルが、桁線の部分で外壁の上端に支持される形態となるので、桁線の外壁に支持された屋根パネルの強度に基づいて決められたものであり、桁線から屋根パネル上側縁までの長さが前記初回許容値の範囲ならば充分な強度を保持できるようになっている。
【００４３】
なお、前記データテーブルにおいて、屋根に雪止め（屋根から雪が滑り落ちることにより、雨樋等を傷つけるのを防止するものであり、結果的に屋根に溜る雪の量を増やすことになる）を設けた際の許容値もしくは初回許容値が設けられている。
【００４４】
前記演算処理装置１１は、周知の住宅用のＣＡＤシステムとしての機能を有するとともに、この演算処理装置１１を用いて設計された屋根面に基準線を作成し、この基準線に基づいて、屋根面に小屋梁Ｂおよび屋根パネルＰを配置する機能を有するとともに、小屋梁Ｂの両端にその梁受け金物を配置する機能を有する。
【００４５】
なお、前記基準線は、少なくとも屋根面の傾斜方向に直角に配置された小屋梁（一般に母屋という）Ｂの位置を示すものなので、この実施例において、以下、母屋線と称する。また、母屋線には、屋根パネル同士の上下の接合部およびその接合部を支持する小屋梁との位置を示す相対母屋線と、屋根パネルの上下側縁の間を支持する小屋梁の位置を示す候補母屋線と、後述するように屋根に谷隅がある場合に設けられ、かつ屋根パネル同士の上下の接合部および接合部を支持する小屋梁の位置を示す絶対母屋線が設定されており、さらに、棟線も含まれている。
【００４６】
そして、前記演算処理装置１１は、前記補助記憶装置１２から前記平面図上の屋根の形状を読み出し、その屋根の屋根面の傾斜方向に沿って前記補助記憶装置１２から読み出した許容値もしくは製造される屋根パネルの長さの最大値毎に、相対母屋線を屋根面の傾斜方向と略直角な方向に沿って作成する機能を有する。また、演算処理装置１１は、前記相対母屋線を前記最大値毎に作成した場合に、前記相対母屋線と重ならない位置に、屋根面の傾斜方向に沿って前記補助記憶装置１２から読み出した許容値毎に、候補母屋線を屋根面の傾斜方向と略直角な方向に沿って作成する機能を有する。
【００４７】
また、前記演算処理装置１１は、平面図上の屋根において、二つの屋根面が谷状に接合された谷隅を示す谷隅線と、屋根の棟を示す棟線との交点がある場合に、その交点を基準点として認識する機能を有するとともに、その基準点に接すると共にその基準点より上方の部分を有する屋根面において、その屋根面の傾斜方向と直角に配置されると共に前記基準点を含み、かつ屋根パネルの上下の接合部およびその接合部に配置される梁の位置を示す絶対母屋線を作成する機能を有する。また、演算処理装置１１は、平面図上の二つの前記谷隅線と前記棟線との交点を基準点として認識するとともに、平面図上の前記谷隅線と前記棟線と前記隅棟線との交点を基準点として認識する機能を有する。
【００４８】
また、前記演算処理装置１１は、平面図上の屋根において、前記谷隅線と外周線との交点もしくは前記谷隅線と相対母屋線との交点を補助点として認識し、前記絶対母屋線が作成された屋根面において、前記補助点の位置に対応して屋根面の傾斜方向に沿った補助線を作成し、前記絶対母屋線を前記基準点から前記補助線と絶対母屋線との交点までに限定する機能を有する。また、演算処理装置１１は、絶対母屋線の長さと予め決められた比較値とを比較して、屋根面の絶対母屋線の長さが比較値より長いかどうか判定し、絶対母屋線の長さが比較値より長い場合に、前述のように絶対母屋線を限定する機能を有する。また、演算処理装置１１は、平面図上の屋根において、絶対母屋線と前記棟線の延長線が交差する場合に、前記絶対母屋線を前記基準点から絶対母屋線と前記延長線との交点までに限定する機能を有する。
【００４９】
ここで、この実施例の割付装置による小屋梁およびその梁受け金物の割付方法を説明する前に、前記ＣＡＤシステム上での屋根の設計に際し、予め決められた規則について説明する。この規則は、予め形成された前記パネルにより構築される建物の設計を容易とするともに、設計された建物の強度を、予め設定された基準以上のものとするために設けられたものである。
【００５０】
１、平面図上において基準長さ単位を用いる。
【００５１】
まず、この実施例の前記ＣＡＤシステムにおいては、建物を設計するに際して、平面図上における基準長さ単位（モジュール）で設計されるものとなっている。そして、最低の単位としては、１／４もしくは１／８モジュールのものを用いている。なお、モジュールは、建物を設計する上で、基本的な長さを１単位としたことにより、１モジュールが最低の単位とならずに、１／４もしくは１／８モジュールが最低の単位となっている。
【００５２】
したがって、壁、床、天井等の縦横の長さは、基本的に、前記１／４もしくは１／８モジュールの整数倍となるように設計される。したがって、前記壁、床、天井等を前記モジュール単位で設計するとともに、壁、床、天井等を構成する壁パネル、床パネル、天井パネル等を、前記モジュール単位で設計すること、即ち、各パネルの形状を前記モジュール単位で規格化することにより、パネルから構築される建物の設計を容易なものとすることができるようになっている。
【００５３】
なお、パネル同士やパネルと他の部材との接合部の取り合いに勝ち負けがある場合には、パネルのサイズは、前記モジュール単位から前記勝ち負けの分だけずれた形状となる。また、建物の設計は、必ずしも前記モジュール単位で行う必要はなく、敷地の条件などによりモジュール単位では効率のよい建物設計が行えない場合は、特注のパネルや、建築現場においてモジュールからずれた部分を製作することにより対応することができる。
【００５４】
そして、屋根を設計する際に、屋根面および屋根パネルの縦横のサイズを前記モジュール単位にした場合には、屋根が天井や床に対して傾斜して屋根面からなることにより、屋根と床および天井との設計にずれができてしまい、床や天井に対応して屋根を設計することが困難になってしまうので、平面図上に投影された屋根をモジュール単位で設計するものとした。平面図上に投影された屋根をモジュール単位で設計することにより、従来のように各屋根面の勾配を有する屋根面毎の断面図等により、屋根パネルの割り付けを決める必要がなくなり、屋根の平面図一枚から屋根パネルの割り付けを決定することが可能となる。
【００５５】
なお、平面図上の屋根パネルの上下側縁を示す線は、屋根パネルの下面側の上下側縁とする。また、前述のように平面図上の長さをモジュール単位とすることにより、平面上のモジュール単位の屋根パネルの長さと、実際の屋根パネルの長さとは異なることになり、屋根パネルは壁パネル等の規格から外れることになるが、後述するように屋根面の傾斜角度を規格化することにより、屋根パネルを規格化することができるようになっている。
【００５６】
２、屋根の屋根面の傾斜角度を規格化する。
【００５７】
屋根勾配は、１／１２、１／３、１／２、２／３、１／１の５種類とされている。また、屋根の形状が切妻として扱われるものについては、前記屋根勾配の全てを用いることができるが、屋根の形状が寄棟として扱われるものについては、１／２および２／３の勾配のみを用いることができることになっている。また、寄棟屋根においては、寄棟屋根の全ての屋根面を同一の勾配のものとする。
【００５８】
３、屋根の軒の出を規格化する。
【００５９】
外壁線から延出する屋根部分の長さ（軒の出）は、前記１／４モジュール単位（一部１／８モジュール単位も含む）に、１／４、１／２、３／４、７／８、１モジュールに設定するものとする。しかし、勾配が１／１のものについては、前記７／８および１モジュール単位を使用しないものとする。
【００６０】
なお、これらの規則は、設計および施工を容易とするために設けたものであり、この実施例の割付装置において、前記規則からずれた屋根面においても基準線を作成することが可能である。しかし、前記規則からずれた場合には、設計する際に強度を再計算したり、実際に建物を建築する際に、規格外の屋根パネルを用いたりする必要があり、設計および施工の生産性を低下させる可能性がある。
【００６１】
次に、以上の規則に基づいて母屋線を作成した平面図上の屋根への小屋梁Ｂの割り付けについて説明する。ここで、母屋線とは、前述の通り、相対母屋線、候補母屋線、絶対母屋線、棟線をいう。
【００６２】
１）Ｂ梁の配置位置について例示する。図９は単純寄棟の場合のＢ梁の配置を示すもので、２１は耐力壁線、２２は屋根面、２３は母屋線、２４はＢ梁である。図１０は入母屋の場合のＢ梁の配置を示すもので、同じく、２１は耐力壁線、２２は屋根面で、２５はＢ梁である。
【００６３】
このようにＢ梁の配置条件は、以下の通りである。耐力壁線・支持壁線（図９および図１０は耐力壁線のみ示しており、支持壁線はない。）で囲まれる閉領域内の母屋線直下位置（単純寄棟の図９のＢ梁２４参照）および、妻壁直下位置（入母屋の図１０のＢ梁２５参照）に配置する。Ｂ梁の間隔が母屋の最大長を越えないように配置する。
【００６４】
そして、Ｂ梁の配置ルールは、以下の通りである。棟線を母屋線の一種として扱う。Ｂ梁の始・終点は、耐力壁線・支持壁線に支持されなければならない。Ｂ梁の納まりは「垂直」のみである。屋根梁・母屋・耐力壁線・支持壁線と重なる位置には配置しない。Ｂ梁同士での交差はない。始終点高さが同じＢ梁は存在しない。Ｂ梁の配置は、母屋の最大長を考慮して行う。
【００６５】
２）屋根梁の配置位置について説明する。図１１は寄棟の場合の屋根梁の配置を示すもので、２１は耐力壁線、２２は屋根面、２３は母屋線、２６は屋根梁である。図１２は切妻の場合の屋根梁の配置を示すもので、同じく、２１は耐力壁線、２２は屋根面、２３は母屋線、２６は屋根梁である。図１３は入母屋の場合の屋根梁の配置を示すもので、同じく、２１は耐力壁線、２２は屋根面で、２７は屋根梁である。
【００６６】
このように屋根梁の配置条件は、以下の通りである。耐力壁線・支持壁線（図１１乃至図１３は耐力壁線のみ示しており、支持壁線はない。）で囲まれる閉領域内の母屋線直下位置（寄棟の図１１、切妻の図１２の屋根梁２６参照）および、妻壁直下位置（入母屋の図１３の屋根梁２７参照）に配置する。屋根梁の間隔が母屋の最大長を越えないように配置する。
【００６７】
そして、屋根梁の配置ルールは、以下の通りである。棟線を母屋線の一種として扱う。屋根梁の始・終点は、必ず耐力壁線・支持壁線に支持されなければならない。屋根梁の納まりは、屋根面の勾配によって「垂直」と「勾配なり」を使い分ける。屋根梁は、Ｂ梁・母屋・耐力壁線・支持壁線と重なってはならない。屋根梁同士での交差はない。屋根梁の始終点高さは同じである。屋根梁の配置は、母屋の最大長を考慮して行う。
【００６８】
３）母屋（小梁）の配置位置について説明する。図１４は寄棟の場合の母屋の配置を示すもので、２１は耐力壁線、２２は屋根面、２３は母屋線、２８は母屋である。図１５は入母屋の場合の母屋の配置を示すもので、同じく、２１は耐力壁線、２２は屋根面で、２４はＢ梁、２９は母屋である。
【００６９】
このように母屋の配置条件は、以下の通りである。耐力壁線・支持壁線（図１４および図１５は耐力壁線のみ示しており、支持壁線はない。）で囲まれる閉領域内の母屋線直下位置（寄棟の図１４の母屋２８参照）および、妻壁直下位置（入母屋の図１５の母屋２９参照）に配置する。ただし、大梁（Ｂ梁、屋根梁）を跨いでの配置はない。
【００７０】
そして、母屋の配置ルールは、以下の通りである。棟線を母屋線の一種として扱う。母屋の端部は、必ずＢ梁・屋根梁・耐力壁線・支持壁線に支持されていなければならない。ただし、両端点が耐力壁線・支持壁線によって支持されることはない。母屋の納まりは「垂直」のみである。母屋は、Ｂ梁・屋根梁・耐力壁線・支持壁線と重なってはならない。母屋同士の交差はない。母屋の始終点高さは同じである。
【００７１】
次に、図１６のフローチャートを参照して、割付装置による小屋梁Ｂの割付方法を説明する。なお、この処理では、母屋線、妻壁、耐力壁線、支持壁線、屋根面、積雪区域値を基に梁部材を配置する。
【００７２】
先ず、ステップＳ１で、積雪区域値より母屋の最大長を求める。即ち、前記補助記憶装置１２には、母屋の最大長が、図１７に示したデータテーブル（積雪区域値と母屋の最大長の対応表）として記憶されており、そのデータテーブルから積雪区域値（一般Ａ・Ｂ、多雪Ａ、多雪Ｂ、多雪Ｃ）に対応する母屋の最大長（３モジュール、２．５モジュール、２モジュール、１．５モジュール）を選択して読み出す。
【００７３】
続いて、ステップＳ２で、配置閉領域を取得する。ここで、この配置閉領域の取得方法について説明する。ａ．耐力壁線、支持壁線で囲まれる領域からまず原点に近くて、かつ最も小さい領域を取得する。ｂ．全体から取得した領域を削除する。このａ，ｂの処理を全体領域がなくなるまで行うと、図２２に示す▲１▼▲２▼▲３▼▲４▼の順に領域が取得できる。なお、図２２において、実線が耐力壁線、点線が支持壁線を示している。
【００７４】
続いて、ステップＳ３で、大梁（Ｂ梁、屋根梁）の配置方向を求める。即ち、前記補助記憶装置１２には、大梁の配置方向が、図１８に示したデータテーブル（大梁の配置方向を求める条件）として記憶されている。その条件は、平面図上において、図１８の通り、ａ．配置領域でｘ，ｙ方向いずれかので、母屋線の数の多い方を大梁の架け方向（配置方向）とする。ｂ．母屋線の数がｘ，ｙ方向、同じ場合はスパンの長い方を大梁の架け方向（配置方向）とする。ｃ．母屋線の数がｘ，ｙ方向同じ場合でスパンも同じ場合は配置領域内の隅棟線が交差する棟線の方向を大梁の架け方向（配置方向）とする。ｄ．ａ〜ｃまでの方法で決定できなかった場合、大梁の架け方向（配置方向）をｘとする。
【００７５】
続いて、ステップＳ４で、大梁を母屋線、妻壁に沿って配置する。この大梁を母屋線、妻壁に沿って配置するについては、例えば、図１９に示すように行う。即ち、図１９において、３１は稜線、３２は壁線、３３は母屋（小梁）、３４，３５は大梁（３４は屋根梁、３５はＢ梁）であり、前記大梁の配置方向を求める条件（図１８参照）に従った上で、左右中央部の領域に母屋線（棟線を含む）に沿った３本の屋根梁３４，３４，３４を平行に配置するとともに、左右両側部の領域に母屋線に沿った２本のＢ梁３５，３５を平行にそれぞれ配置している。
【００７６】
続いて、ステップＳ５で、大梁を母屋の最大長を越えないように配置する。この大梁を母屋の最大長を越えないように配置するについては、前記積雪区域値と母屋の最大長の対応表（図１７参照）に従って、例えば、図２０に示すように行う。即ち、図２０において、同じく、３１は稜線、３２は壁線、３３は母屋（小梁）、３４，３５は大梁（３４は屋根梁、３５はＢ梁）で、さらに、３６はＢ梁であり、例えば、図１９の配置が一般Ａ・Ｂ区域で母屋の最大長が３モジュールであった場合と比較して、多雪Ｃ区域で母屋の最大長が１．５モジュールである場合には、図２０のように、さらに、棟線の延長線上に沿って左右両側部の領域にＢ梁３６，３６をそれぞれ配置する。
【００７７】
続いて、ステップＳ６で、小梁を母屋線、妻壁に沿って配置する。この小梁を母屋線、妻壁に沿って配置するについては、例えば、図２１に示すように行う。即ち、図２１において、同じく、３１は稜線、３２は壁線、３４，３５は大梁（３４は屋根梁、３５，３６はＢ梁）で、３７は母屋（小梁）であり、例えば、図２０の大梁の配置において、左右両側部それぞれの領域の３本のＢ梁３５，３６，３５の間に、２本の母屋（小梁）３７，３７をそれぞれ配置する。
【００７８】
以上の大梁および小梁の配置は残りの領域がなくなるまで行うものであり、即ち、次のステップＳ７において、前記配置閉領域の取得方法（図２２参照）に従って取得する領域がまだ有る場合には、前記ステップＳ２の処理に戻って以上の処理を繰り返し、また、残りの領域がなくなった場合には、処理を終了する。なお、梁部材の配置は、屋根面開口部を意識しないものとする。
【００７９】
次に、図２３のフローチャートを参照して、割付装置による大梁（Ｂ梁、屋根梁）の割付方法を説明する。なお、この処理では、前記図１６のフローチャートのステップＳ４の具体的内容を行うものであり、即ち、大梁を配置方向に配置閉領域内の母屋線、妻壁に沿って配置する。
【００８０】
先ず、ステップＳ１１で、配置閉領域内に入っている母屋線、妻壁を検索する。この配置領域に入っている母屋線、妻壁については、例えば、図２４に示すように、実線で示した壁線と、点線で示した母屋線との関係の場合、少なくとも一部が領域内に入っているもの、即ち、▲１▼▲２▼▲４▼の母屋線をいう。
【００８１】
このような検索は母屋線、妻壁が領域内に見つからなくなるまで行うものであり、即ち、次のステップＳ１２において、母屋線、妻壁がまだ有る場合には、さらに、次のステップＳ１３に進み、また、母屋線、妻壁が見つからなくなった場合には、処理を終了する。続いて、ステップＳ１３では、母屋線、妻壁の従属軸を調べてから、次のステップＳ１４において、前記大梁の配置方向を求める条件（図１８参照）に従った大梁の配置方向と母屋線、妻壁の方向が等しい場合には、前記ステップＳ１１に戻って以上の処理を繰り返し、また、大梁の配置方向と母屋線、妻壁の方向が等しくない場合には、次のステップＳ１５に進む。
【００８２】
続いて、ステップＳ１５では、母屋線、妻壁を通り、配置方向に配置閉領域を遮る線分を求める。この母屋線、妻壁を通り、配置方向に配置領域を遮る線分については、例えば、図２５（ａ）に示すように、実線で囲まれた配置領域と、点線で示した母屋線との関係の場合に比較して、図２５（ｂ）に示すように、母屋線を通り、配置領域を遮る横方向の太線で示した梁部材のような線分をいう。
【００８３】
そして、次のステップＳ１６では、その線分の始点、終点の屋根上の高さを求める。即ち、前記補助記憶装置１２に記憶されたデータベースから予め入力された屋根勾配等に対応する各点の高さを読み出す。続いて、次のステップＳ１７において、始点、終点の高さが違う場合には、ステップＳ１８に進み、また、始点、終点の高さが同じ場合には、ステップＳ１９に進む。即ち、母屋線、妻壁を通り、配置方向に配置領域を遮る線分の始点、終点の高さの相違によりＢ梁、屋根梁を区別するものであり、Ｂ梁になるケースは、線分の始終点の高さが屋根面上で異なる場合であり、屋根梁になるケースは、線分の始終点の高さが屋根面上で同じ場合である。
【００８４】
図２６はＢ梁になるケースを例示したもので、４１は壁線、４２は稜線、４３，４４，４５，４６，４７はＢ梁であり、左側部の領域に２本の横方向のＢ梁４３，４３を配置し、右上側部に棟部を含む２本の横方向のＢ梁４４，４５を配置し、さらに、右下側部に棟部を含む３本の縦方向のＢ梁４６，４７，４６を配置している。このようにＢ梁４３，４４，４５，４６，４７は、始終点の高さが屋根面上で異なっている。
【００８５】
図２７は屋根梁になるケースを例示したもので、同じく、４１は壁線、４２は稜線で、４８は屋根梁であり、左右中央部の領域に棟部を含む３本の横方向の屋根梁４８，４８，４８を配置している。このように屋根梁４８は、始終点の高さが屋根面上で同じである。
【００８６】
そして、前記ステップＳ１８では、Ｂ梁を前記補助記憶装置１２のデータベース（Ｄ／Ｂ）に登録してから、前記ステップＳ１１に戻って以上の処理を繰り返す。また、前記ステップＳ１９では、同じく、屋根梁を前記補助記憶装置１２のデータベースに登録してから、前記ステップＳ１１に戻って以上の処理を繰り返す。
【００８７】
次に、図２８のフローチャートを参照して、割付装置によるＢ梁のデータベース（Ｄ／Ｂ）への登録を説明する。なお、この処理では、前記図２３のフローチャートのステップＳ１８の具体的内容を行うものであり、即ち、Ｂ梁位置座標、屋根面を基にＢ梁を配置する。
【００８８】
先ず、ステップＳ２１で、Ｂ梁の高い方の端点を基にした線分を求める。このＢ梁の高い方の端点を基にした線分は、例えば、図２９のようにして求める。即ち、図２９において、５１は稜線、５２は壁線、５３は線分であり、このように壁線５２側のＢ梁座標位置が高い方の点を基にした線分５３を求める。
【００８９】
続いて、ステップＳ２２で、その線分と屋根面との交点を求める。この線分と屋根面との交点は、例えば、図３１のようにして求める。即ち、図３１において、同じく、５１は稜線、５２は壁線、５３はＢ梁座標位置が高い方の点を基にした線分で、５４が交点であり、このようにＢ梁座標位置が高い方の点を基にした線分５３と稜線５１で示される屋根面との交点５４を求める。
【００９０】
そして、次のステップＳ２３において、その交点がなしの場合には、ステップＳ２４に進み、交点がある場合には、ステップＳ２７に進む。
【００９１】
先ず、交点がない場合のステップＳ２４では、そのＢ梁位置座標、始点と終点の高さを前記補助記憶装置１２のデータベース（Ｄ／Ｂ）に登録する。続いて、ステップＳ２５で、納まりを設定する（垂直納まり）。即ち、Ｂ梁の納まりは、図３０に示すように、垂直納まりのみであり、その「垂直納まり」を設定する。続いて、ステップＳ２６で、屋根面ＩＤを求めて、設定してから、処理を終了する。この屋根面ＩＤは、前記補助記憶装置１２に予め記憶されており、前記のように登録されたＢ梁（登り折れ梁）に対応する情報を読み出して登録する。
【００９２】
また、交点がある場合のステップＳ２７では、その交点が端点にあるか調べる。そして、次のステップＳ２８において、交点が端点にある場合には、ステップＳ２９に進み、交点が端点以外にあるときには、ステップＳ３２に進む。
【００９３】
先ず、交点が端点にある場合のステップＳ２９では、そのＢ梁位置座標、始点と終点の高さを前記補助記憶装置１２のデータベース（Ｄ／Ｂ）に登録する。この交点が線分の端点にあるときとは、図３３（ａ）に示すように、線分５５の端点が交点５４となっている場合であり、このような場合は、図３３（ｂ）に示すような登り梁５６を配置する。続いて、ステップＳ３０で、納まりを設定（垂直納まり）してから、次のステップＳ３１で、屋根面ＩＤを求めて、設定してから、処理を終了する。
【００９４】
また、交点が端点以外にあるときのステップＳ３２では、屋根面の勾配を求める。この屋根面の勾配は、前記補助記憶装置１２に予め記憶されており、入力データに基づいて読み出す。続いて、ステップＳ３３で、その屋根面の勾配から結合桁の高さを求める。この結合桁は、図３０に示すように、垂直納まりのＢ梁とこれに直交する屋根面の勾配との間に介装する断面三角形の桁部材のことであり、前記補助記憶装置１２に前記屋根面の勾配と関連付けて予め記憶されている。
【００９５】
続いて、ステップＳ３４で、Ｂ梁の高い方の端点から結合桁分引いた高さを基にした線分を求める。引き続いて、ステップＳ３５で、その線分と屋根との交点を求める。このような交点が端点以外にあるときとは、図３２（ａ）に示すように、線分５３が稜線５１で示される屋根面との交点５４を持っている場合であり、このような場合は、図３２（ｂ）に示すような登り折れ梁５７を配置する。
【００９６】
続いて、ステップＳ３６で、Ｂ梁位置座標、始点と終点の高さ、交点の位置、高さを屈折点の位置座標として前記補助記憶装置１２のデータベース（Ｄ／Ｂ）に登録する。続いて、ステップＳ３７で、交点（屈折点）の位置、高さ、納まり（垂直納まり）を同様にデータベースに登録する。そして、次のステップＳ３１で、屋根面ＩＤを求めて、同様にデータベースに登録してから、処理を終了する。
【００９７】
次に、図３４のフローチャートを参照して、割付装置による屋根梁のデータベース（Ｄ／Ｂ）への登録を説明する。なお、この処理では、前記図２３のフローチャートのステップＳ１９の具体的内容を行うものであり、即ち、屋根梁位置座標、始終点の高さ、屋根面を基に屋根梁をデータベース（Ｄ／Ｂ）に登録する。
【００９８】
先ず、ステップＳ４１で、屋根梁位置座標を前記補助記憶装置１２のデータベース（Ｄ／Ｂ）に登録する。続いて、ステップＳ４２で、屋根面の勾配を求める。この屋根面の勾配は、前述の通り、前記補助記憶装置１２に予め記憶されている。続いて、ステップＳ４３で、屋根面の工法を求める。この屋根面の工法も、前記補助記憶装置１２に予め記憶されている。引き続き、ステップＳ４４で、その求めた屋根面の工法と屋根面の勾配より納まりを求める。
【００９９】
そして、次のステップＳ４５において、納まりが垂直の場合には、ステップＳ４６に進み、また、棟稜線と同じ位置座標の場合は、ステップＳ５１に進む。
【０１００】
先ず、納まりが垂直の場合のステップＳ４６では、その納まり（垂直納まり）を前記補助記憶装置１２のデータベース（Ｄ／Ｂ）に登録する。続いて、ステップＳ４７で、屋根面の勾配より結合桁の高さを求める。この結合桁は、垂直納まりの屋根梁とこれに直交する屋根面の勾配との間に介装する断面三角形の桁部材のことであり、前述と同様、前記補助記憶装置１２に前記屋根面の勾配と関連付けて予め記憶されている。
【０１０１】
続いて、ステップＳ４８で、屋根梁の端点から結合桁分引いた高さを屋根梁の始終点の高さとする。引き続いて、ステップＳ４９で、その屋根梁始点、終点の高さを前記補助記憶装置１２のデータベース（Ｄ／Ｂ）に登録してから、処理を終了する。
【０１０２】
また、棟稜線と同じ位置座標の場合のステップＳ５１では、その納まり（勾配納まり）を前記補助記憶装置１２のデータベースに登録する。即ち、図３５に示すように、棟稜線と同じ位置座標の場合は、勾配納まりであり、その「勾配納まり」を登録する。続いて、ステップＳ５２で、屋根梁始点、終点の高さを同様にデータベースに登録してから、処理を終了する。
【０１０３】
なお、図３６は屋根梁の納まりの区別のデータテーブル（屋根種別、屋根勾配の対応表）を示すもので、このように切妻扱いで勾配２／３、１／１、寄棟扱いで勾配１／２、２／３の場合が、「垂直納まり」で、切妻扱いで勾配１／１２、１／３、１／２の場合が、「勾配納まり」である。
【０１０４】
次に、図３７のフローチャートを参照して、割付装置による大梁（Ｂ梁、屋根梁）を母屋の最大長を越えないようにデータベース（Ｄ／Ｂ）に登録する仕方を説明する。なお、この処理では、前記図１６のフローチャートのステップＳ５の具体的内容を行うものであり、即ち、配置領域、配置方向、大梁の位置座標、母屋の最大長、屋根面を基にＢ梁、屋根梁をデータベース（Ｄ／Ｂ）に登録する。
【０１０５】
先ず、ステップＳ６１で、配置閉領域内に含まれる大梁を求める。この大梁は、例えば、図３８のようにして求める。即ち、図３８において、６１は稜線、６２は壁線、６３はＢ梁であり、このようにして、例えば、Ａ区画に含まれる２本のＢ梁６３，６３を求める。
【０１０６】
そして、次のステップＳ６２において、大梁が有る場合には、次のステップＳ６３に進み、また、大梁がない場合には、処理を終了する。続いて、ステップＳ６３では、カレントの大梁と次の大梁の間隔を求める。即ち、例えば、前記図３８と同様の図３９に示すように、Ａ区画において、Ｂ梁６３，６３の配置間隔ｌを調べる。
【０１０７】
そして、次のステップＳ６４において、その間隔が母屋の最大長（前記図１７参照）以下の場合には、前記ステップＳ６１に戻って以上の処理を繰り返し、また、間隔が母屋の最大長を越えている場合には、次のステップＳ６５に進む。
【０１０８】
続いて、ステップＳ６５では、その間隔と母屋の最大長により配置間隔を求める。そして、次のステップＳ６６において、その間隔が母屋の最大長を越えている場合には、次のステップＳ６７に進み、また、間隔が母屋の最大長以下の場合には、処理を終了する。
【０１０９】
続いて、ステップＳ６７では、カレントの大梁の位置から次の大梁方向に配置間隔分移動した点を求める。そのカレントの大梁の位置から次の大梁方向に配置間隔分移動した点は、例えば、図４０に示すようにして求める。即ち、図４０において、６４はカレントの梁、６５は次の梁、ｌは配置間隔、Ａは求めた点であり、このようにして、カレントの梁６４から次の梁６５の方向へ配置間隔ｌ分だけ移動した点Ａを求める。
【０１１０】
続いて、ステップＳ６８で、その求めた点を通り、配置方向に配置領域を遮る線分を求める（前記図２５参照）。そして、次のステップＳ６９では、その線分の始点と終点の高さを求める。即ち、前記補助記憶装置１２に記憶されたデータベースから予め入力された屋根勾配等に対応する各点の高さを読み出す。
【０１１１】
続いて、次のステップＳ７０において、始点と終点の高さが違う場合には、ステップＳ７１に進み、また、始点と終点の高さが同じ場合には、ステップＳ７２に進む。即ち、求めた点を通り、配置方向に配置領域を遮る線分の始点と終点の高さの相違によりＢ梁、屋根梁を区別するものであり、Ｂ梁になるケースは、線分の始終点の高さが屋根面上で異なる場合（前記図２６参照）であり、屋根梁になるケースは、線分の始終点の高さが屋根面上で同じ場合（前記図２７参照）である。
【０１１２】
そして、前記ステップＳ７１では、Ｂ梁を前記補助記憶装置１２のデータベース（Ｄ／Ｂ）に登録してから、前記ステップＳ６５に戻って以上の処理を繰り返す。なお、Ｂ梁のデータベースへの登録は、前記図２８のフローチャートに従って行う。また、前記ステップＳ７２では、同じく、屋根梁を前記補助記憶装置１２のデータベースに登録してから、前記ステップＳ６５に戻って以上の処理を繰り返す。なお、屋根梁のデータベースへの登録は、前記図３４のフローチャートに従って行う。
【０１１３】
ところで、図４１は配置間隔が母屋の最大スパンを越えいているとき、母屋の最大スパンを越えないように配置する仕方を例示したもので、このようにして、例えば、Ａ区画において、Ｂ梁６３，６３の配置間隔が母屋の最大スパン（前記図１７参照）を越えているときは、その間に母屋の最大スパンを越えないようにさらにＢ梁６６を配置する。
【０１１４】
次に、図４２および図４３のフローチャートを参照して、割付装置による母屋（小梁）を母屋線に沿ってデータベース（Ｄ／Ｂ）に登録する仕方を説明する。なお、この処理では、前記図１６のフローチャートのステップＳ６の具体的内容を行うものであり、即ち、母屋（小梁）を配置閉領域内の母屋線、または妻壁線に沿って、小梁配置方向に配置する。
【０１１５】
先ず、ステップＳ８１（なお、ステップＳ９２までは図４２のフローチャート）で、配置領域内の母屋線、妻壁を検索する。この配置領域内の母屋線、妻壁は、例えば、図４４に示すようにして検索する。即ち、図４４において、実線で囲まれた部分が配置領域Ａ、点線が母屋線であり、この図の場合、▲１▼▲２▼▲３▼の順に母屋線が見つかったとする。
【０１１６】
そして、次のステップＳ８２において、母屋線、または妻壁がまだ有る場合には、さらに、次のステップＳ８３に進み、また、母屋線、妻壁が見つからなくなった場合には、処理を終了する（図４３のフローチャート参照）。
【０１１７】
続いて、ステップＳ８３では、母屋線、妻壁の従属軸を調べる。この検索した母屋線、または妻壁の従属軸は、例えば、図４５のようにして調べる。即ち、図４５において、前記図４４と同じく、実線で囲まれた部分が配置領域Ａ、点線が母屋線で、矢印が小梁配置方向を示しており、この図の場合、▲２▼が母屋配置候補線分となる。
【０１１８】
そして、次のステップＳ８４において、小梁配置方向と母屋線、妻壁の方向が違う場合には、前記ステップＳ８１に戻って以上の処理を繰り返し、また、小梁配置方向と母屋線、妻壁の方向が等しい場合には、次のステップＳ８５に進む。
【０１１９】
続いて、ステップＳ８５では、母屋線、または妻壁と大梁の交点を求める。この母屋線、または妻壁と大梁の交点は、例えば、図４６のようにして求める。即ち、図４６において、７１は配置領域Ａ、７２は母屋線、７３は大梁、７４は交点であり、このようにして、例えば、１本の母屋線７２と平行する３本の大梁７３，７３，７３との交点７４，７４，７４を求める。
【０１２０】
引き続いて、ステップＳ８６では、その交点の中に母屋線、または妻壁の始点が入っているか調べる。図４７（ａ），（ｂ）は母屋線、または妻壁の端点が交点に含まれていないケースを示すもので、前記図４６と同様、７１は配置領域Ａ、７２は母屋線、７３は大梁である。
【０１２１】
そして、次のステップＳ８７において、交点の中に母屋線、または妻壁の始点が入っていなかった場合には、ステップＳ８８に進み、また、交点の中に母屋線、または妻壁の始点が入っていた場合には、ステップＳ８９に進む。
【０１２２】
先ず、ステップＳ８８では、母屋線、または妻壁の始点を交点に加えてから、前記ステップＳ８１に戻って以上の処理を繰り返す。また、ステップＳ８９では、交点の中に母屋線、または妻壁の終点が入っているか調べる（図４７（ａ），（ｂ）参照）。
【０１２３】
そして、次のステップＳ９０において、交点の中に母屋線、または妻壁の終点が入っていなかった場合には、ステップＳ９１に進み、また、交点の中に母屋線、または妻壁の終点が入っていた場合には、ステップＳ９２に進む。
【０１２４】
先ず、ステップＳ９１では、母屋線、または妻壁の終点を交点に加えてから、前記ステップＳ８１に戻って以上の処理を繰り返す。また、ステップＳ９２では、交点を昇順に並び替える。
【０１２５】
そして、次のステップＳ１０１（以下、図４３のフローチャート）において、交点がある場合には、次のステップＳ１０２に進み、交点がない場合には、処理を終了する。
【０１２６】
続いて、ステップＳ１０２で、カレントの交点と次の交点を母屋の端点とする。即ち、例えば、図４８（ａ），（ｂ）に示すように、前記図４６と同様の配置領域Ａ７１、母屋線７２、大梁７３、交点７４の関係において、カレントの交点７４と次の交点７４を母屋（小梁）７５，７５の端点とする。
【０１２７】
そして、次のステップＳ１０３において、母屋（小梁）の長さが４５５ｍｍ（例えば、１／４モジュール）以下の場合には、前記ステップＳ１０１に戻って以上の処理を繰り返し、母屋（小梁）の長さが４５５ｍｍを越える場合には、次のステップＳ１０４に進む。
【０１２８】
続いて、ステップＳ１０４で、カレントの交点と次の交点を母屋（小梁）の端点として前記補助記憶装置１２のデータベース（Ｄ／Ｂ）に登録する。続いて、ステップＳ１０５で、屋根面の勾配を求める。この屋根面の勾配は、前述の通り、前記補助記憶装置１２に予め記憶されている。続いて、ステップＳ１０６で、屋根面の勾配から結合桁の高さを求める。この結合桁は、垂直納まりの小屋梁とこれに直交する屋根面の勾配との間に介装する断面三角形の桁部材のことであり、前述と同様、前記補助記憶装置１２に前記屋根面の勾配と関連付けて予め記憶されている。
【０１２９】
引き続いて、ステップＳ１０７で、母屋（小梁）の端点から結合桁分引いた高さを母屋（小梁）の始終点の高さとして前記補助記憶装置１２のデータベースに登録する。そして、次のステップＳ１０８では、納まり（垂直納まり）を同様にデータベースに登録してから（母屋（小梁）の納まりは「垂直」のみ）、前記ステップＳ１０１に戻って以上の処理を繰り返す。
【０１３０】
以上に説明したようにして屋根面に小屋梁Ｂを割り付けることにより、例えば、図２に示した複合寄棟屋根の設計において、図３および図４に示したように、大梁２，２，２，…，３，３，３，…（屋根梁２、Ｂ梁３（登り折れ梁３ａ、登り梁３ｂ））と小梁４，４，４，…を効率よく自動的に割り付けることができる。そして、このような小屋梁Ｂによって、図２に示したように、同じく効率よく自動的に割り付けられた適切な形状とサイズによる屋根パネルＰ，Ｐ，Ｐ，…の接合部および中間部を支持することができる。
【０１３１】
次に、このように母屋線に沿って決定された小屋梁Ｂの両端に配置する梁受け金物の割り付けについて説明する。始めに、図４９のフローチャートを参照して、小屋梁を含む梁材の両端に梁受け金物を配置する処理について説明する。即ち、この処理では、屋根梁、マグサ、Ｂ梁などの荷重が掛かる材料の両端に、梁受け金物を配置する。
【０１３２】
先ず、ステップＳ１１１で、木製屋根梁、母屋（小梁）、Ｂ梁の両端に梁受け金物を配置する。続いて、ステップＳ１１２で、他の梁材としてのマグサの両端に梁受け金物を配置する。
【０１３３】
即ち、マグサの場合は、次のステップＳ１１３で、小壁領域のマグサ配置状況をチェックする。続いて、ステップＳ１１４において、マグサ両端に方立てが無い場合には、次のステップＳ１１５に進み、また、両端に方立てが有る場合には、梁受け金物を配置せずに処理を終了する。
【０１３４】
そして、ステップＳ１１５において、マグサ両端が仕切壁であって、そのマグサ両端間のスパンが９１０ｍｍ（１モジュール）以下の場合には、次のステップＳ１１６に進み、また、マグサ両端が仕切壁では無くて、そのマグサ両端間のスパンが９１０ｍｍを越える場合には、梁受け金物を配置せずに処理を終了する。続いて、ステップＳ１１６では、マグサ両端に梁受け金物を配置してから、前記ステップＳ１１４に戻って以上の処理を繰り返す。
【０１３５】
次に、梁受け金物について説明する。図５０は梁受け金物を例示したもので、（ａ）には、上側縁を水平とした梁受け金物８０ａを示し、（ｂ）には、上側縁を斜めとした梁受け金物８０ｂを示している。
【０１３６】
即ち、図５０（ａ）において、梁受け金物８０ａは、基板部８１の上側縁に裏側への水平折り曲げ片８２ａを形成して、この基板部８１の前面に梁受け部８３を接合一体化して備えている。この梁受け部８３は、接合面部８４、底面部８５、左右の側辺部８６，８６からなり、底面部８５の手前に下方折り曲げ片８７を有している。
【０１３７】
また、図５０（ｂ）において、梁受け金物８０ｂは、基板部８１ｂの上側縁に裏側への斜め折り曲げ片８２ｂを形成して、この基板部８１ｂの前面に、前記と同様の接合面部８４、底面部８５、側辺部８６，８６、下方折り曲げ片８７を有する梁受け部８３を接合一体化して備えている。なお、斜め折り曲げ片８２ｂの傾斜角度は、屋根勾配に合わせて各種用意される。
【０１３８】
このように梁受け金物としては、上側縁を水平折り曲げ片８２ａとした梁受け金物８０ａと、上側縁を斜め折り曲げ片８２ｂとした梁受け金物８０ｂとに大別されている。そして、上側縁を水平折り曲げ片８２ａとした梁受け金物８０ａは、さらに、２つの形状タイプに分けられており、上側縁を斜め折り曲げ片８２ｂとした梁受け金物８０ｂも、さらに、２つの形状タイプに分けられている。
【０１３９】
即ち、上側縁を水平折り曲げ片８２ａとした梁受け金物８０ａは、図５１（Ａ）に示す形状タイプＡと、図５１（Ｂ）に示す形状タイプＢとに分けられる。図５１（Ａ）に示す形状タイプＡの梁受け金物は、サイズ：ＨＣと呼ばれる１サイズだけのものである。図５１（Ｂ）に示す形状タイプＢの梁受け金物は、サイズ：ＮＡ〜ＮＪと呼ばれる１０サイズのものがある。
【０１４０】
また、上側縁を斜め折り曲げ片８２ｂとした梁受け金物８０ｂは、形状タイプＣと呼ばれて、図５２（Ｌ）に示すＬ型と、図５２（Ｒ）に示すＲ型とに分けられる。即ち、形状タイプＣの梁受け金物は、サイズ：ＮＡ〜ＮＪと呼ばれる１０サイズのもののそれぞれにおいて、図５２（Ｌ）に示すように、屋根勾配に沿った斜めの上側縁が左下がりのＬ型と、図５２（Ｒ）に示すように、屋根勾配に沿った斜めの上側縁が右下がりのＲ型との２種類に分けられるとともに、屋根勾配が異なる１／２、２／３、１／１勾配の３種類にさらに分けられている。
【０１４１】
なお、サイズ記号の２文字目のアルファベットは、梁受け金物の断面高さを表すものである。即ち、ＮＡ〜ＮＪにおいて、Ａ＝断面高さ９０ｍｍで、以下、Ｂ、Ｃ、Ｄ、Ｅ、Ｆ、Ｇ、Ｈ、Ｉ、Ｊのように、次の文字毎に３０ｍｍずつ上がる。
【０１４２】
以上のように形状タイプおよびサイズが異なる梁受け金物の配置は、前述したようにして既に配置（割り付け）済みの屋根梁、母屋（小梁）、Ｂ梁に対して行う（前記図４９のフローチャートのステップＳ１１１参照）。図５３は梁受け金物の配置位置を例示したもので、（ａ）は壁９０に梁材９１を配置した状態の平面図、（ｂ）はその側面図を示しており、梁材９１の位置データから、図５３（ａ）に示すように、梁受け金物の配置位置９２、図５３（ｂ）に示すように、梁受け金物配置高さ９３を求める。この梁受け金物配置高さ９３は、梁材９１の配置高さ９４からその梁断面高さ９５分だけ下げた位置とする。
【０１４３】
次に、梁受け金物の選択について説明する。図５４は梁受け金物を割り付ける順序を図表として示したもので、その▲１▼▲２▼▲３▼の順序にしたがって割り付ける。即ち、▲１▼Ｂ梁下端の梁受合板は、壁天端より３０ｍｍ上りで金物はＨＣを使用する。但し、Ｂ梁登り長さが１Ｍ（９１０ｍｍ）未満では、梁断面より１ランク下の金物を使用する。▲２▼Ｂ梁上端及び屋根梁・母屋の端部で梁受合板が勾配納まりの場合は、同ランクでかつＲ・Ｌのある金物を使用する。▲３▼Ｂ梁上端及び屋根梁・母屋の端部で梁受合板が水平納まりの場合は、壁天端より３０ｍｍ下りで、梁断面より１ランク下の金物を使用する。
【０１４４】
つまり、▲１▼のように、先ず、形状タイプＡの梁受け金物を選択してから（但し、形状タイプＢの場合もある）、▲２▼のように、次いで、形状タイプＣの梁受け金物を選択して、▲３▼のように、最後に、形状タイプＢの梁受け金物を選択する。
【０１４５】
そして、「形状タイプＡ」および「形状タイプＣ」の梁受け金物は梁材の断面高さと等しい物を選ぶが、「形状タイプＢ」の梁受け金物は、Ｂ梁の下端部で、梁の登り長さが１モジュール未満の時、または、梁が垂直納まりで配置されている時のいずれかを満たす時に、サイズが１ランク下の梁受け金物を選択する。
【０１４６】
なお、梁材のサイズ記号のアルファベット（２文字目）も、梁受け金物と同様のサイズ記号を意味するものであり、１ランク下とは、例えば、梁材が？Ｄなら梁受け金物は？Ｃ、梁材が？Ｅなら梁受け金物は？Ｄの材料を意味する。
【０１４７】
次に、各種梁材端部の取り合いについて説明する。先ず、図５５はＢ梁と屋根梁および小梁を例示したもので、（ａ）は登り長さ１モジュール以上の登り梁１０１、（ｂ）は同じく登り長さ１モジュール以上の登り折れ梁１０２、（ｃ）は登り長さ１モジュール未満の登り折れ梁１０３、（ｄ）は屋根梁１０４および小梁１０５をそれぞれ示している。
【０１４８】
即ち、図５５（ａ）に示すように、登り梁１０１は、下端部の下側を平坦面１０６にして、上端部の下側も切欠による平坦面１０７としている。同じく図５５（ｂ）および（ｃ）に示すように、登り折れ梁１０２，１０３も、その傾斜部の下端部下側を平坦面１０６としており、折れ曲がり部に補強合板１０８，１０８をそれぞれ接合している。このようなＢ梁において、その登り長さとは、図示のように、傾斜部分の水平方向長さのことである。また、図５５（ｄ）に示すように、屋根梁１０４および小梁１０５は、水平に配置される。
【０１４９】
このような各種の小屋梁において、図５５（ａ）に示す登り梁１０１と図５５（ｂ）に示す登り折れ梁１０２は、いずれも登り長さが１モジュール以上のもので、その下端は、図５６に示すようにして壁に支持される。即ち、図５６（ａ），（ｂ）は登り長さ１モジュール以上のＢ梁下端１１１の架け方を例示したもので、壁１１２の天端には断面三角形の結合桁１１３が設けられており、この壁１１２に天端から３０ｍｍ上りで水平納まりの補強合板１１４を介して前記形状タイプＡの梁受け金物１１５を固定している。なお、３０ｍｍ上りとするのは、結合桁１１３に合わせるためである。
【０１５０】
このように、形状タイプＡの梁受け金物１１５（記号ＨＣ）にＢ梁下端１１１を接着および釘止めにより固定している。なお、Ｂ梁下端１１１が小壁に架かる場合は、梁受材を設けておく。また、参考までに、Ｂ梁断面は、ＢＤ，ＢＥ，ＢＦ，ＢＧ，ＢＨ，ＢＩ，ＢＪの７サイズがあり、これに対応する梁受け金物は、ＨＣの１サイズのみである。
【０１５１】
また、前記図５５（ｃ）に示す登り折れ梁１０３は、登り長さが１モジュール未満のもので、その下端は、図５７に示すようにして壁に支持される。即ち、図５７（ａ），（ｂ）は登り長さ１モジュール未満のＢ梁下端１２１の架け方を例示したもので、前記図５６の場合と同様、壁１２２の天端には断面三角形の結合桁１２３が設けられており、この壁１２２に天端から３０ｍｍ上りで水平納まりの補強合板１２４を介して前記形状タイプＢの梁受け金物１２５を固定している。なお、この場合も、３０ｍｍ上りとするのは、結合桁１２３に合わせるためである。
【０１５２】
このように、形状タイプＢの梁受け金物１２５（記号ＮＣ〜ＮＩ）にＢ梁下端１２１を接着および釘止めにより固定している。なお、Ｂ梁下端１２１が小壁に架かる場合は、梁受材を設けておく。また、参考までに、Ｂ梁断面は、ＢＤ，ＢＥ，ＢＦ，ＢＧ，ＢＨ，ＢＩ，ＢＪの７サイズがあり、これに対応してサイズが１ランク下となるＮＣ，ＮＤ，ＮＥ，ＮＦ，ＮＧ，ＮＨ，ＮＩの梁受け金物がそれぞれ用意される。
【０１５３】
そして、前記図５５（ａ）に示す登り梁１０１と図５５（ｂ）に示す登り折れ梁１０２および図５５（ｃ）に示す登り折れ梁１０３は、その上端が、図５８に示すようにして壁に支持される。即ち、図５８（ａ），（ｂ），（ｃ），（ｄ），（ｅ）はＢ梁上端１３１，１３２，１３３，１３４，１３５の架け方をそれぞれ例示したものである。
【０１５４】
図５８（ａ），（ｂ），（ｃ），（ｄ）は梁受け合板が水平納まりの場合の態様をそれぞれ示すものである。先ず、図５８（ａ）に示すように、壁（屋切パネル）１３６ａの棟部の梁配置位置から３０ｍｍ下りで水平納まりの補強合板１３７ａを介して前記形状タイプＢの梁受け金物１４１を固定している。
【０１５５】
また、図５８（ｂ）に示すように、壁（屋切パネル等）１３６ｂの隅棟部の天端から３０ｍｍ下りで水平納まりの補強合板１３７ｂおよび梁受材１３８ｂを介して前記形状タイプＢの梁受け金物１４２を固定している。また、図５８（ｃ）に示すように、壁１３６ｃの天端から３０ｍｍ下りで水平納まりの補強合板１３７ｃおよび梁受材１３８ｃを介して前記形状タイプＢの梁受け金物１４３を固定している。
【０１５６】
また、図５８（ｄ）に示すように、壁（小屋パネル等）１３６ｄ（または、屋切パネル１４６の場合もある。）の梁配置位置（屋切・小屋パネル１３９下端）から３０ｍｍ下りで水平納まりの補強合板１３７ｄおよび梁受材１３８ｄを介して前記形状タイプＢの梁受け金物１４４を固定している。なお、以上の図５８（ａ），（ｂ），（ｃ），（ｄ）の場合において、３０ｍｍ下りとするのは、梁断面よりサイズが１ランク下の梁受け金物１４１，１４２，１４３，１４４を使用するためである。
【０１５７】
このように、形状タイプＢの梁受け金物１４１，１４２，１４３，１４４（記号ＮＣ〜ＮＩ）にＢ梁上端１３１，１３２，１３３，１３４を接着および釘止めによりそれぞれ固定している。なお、参考までに、Ｂ梁断面は、ＢＤ，ＢＥ，ＢＦ，ＢＧ，ＢＨ，ＢＩ，ＢＪの７サイズがあり、これに対応してサイズが１ランク下となるＮＣ，ＮＤ，ＮＥ，ＮＦ，ＮＧ，ＮＨ，ＮＩの梁受け金物がそれぞれ用意される。
【０１５８】
また、図５８（ｅ）は梁受け合板が勾配納まりの場合を示すもので、図示のように、壁（屋切パネル等）１３６ｅの傾斜部に勾配納まりの補強合板１３７ｅを介して前記形状タイプＣの梁受け金物１４５を固定している。この場合、勾配の左下がり、右下がりに合わせてＬ型・Ｒ型のいずれかの梁受け金物１４５を使用する。
【０１５９】
このように、形状タイプＣの梁受け金物１４５（記号ＮＤＬ〜ＮＪＬ，ＮＤＲ〜ＮＪＲ）にＢ梁上端１３５を接着および釘止めにより固定している。なお、参考までに、Ｂ梁断面は、ＢＤ，ＢＥ，ＢＦ，ＢＧ，ＢＨ，ＢＩ，ＢＪの７サイズがあり、これに対応して同サイズで形状が左右対称となるＮＤＬ，ＮＥＬ，ＮＦＬ，ＮＧＬ，ＮＨＬ，ＮＩＬ，ＮＪＬ，ＮＤＲ，ＮＥＲ，ＮＦＲ，ＮＧＲ，ＮＨＲ，ＮＩＲ，ＮＪＲの梁受け金物がそれぞれ用意される。
【０１６０】
さらに、前記図５５（ｄ）に示す屋根梁１０４および小梁１０５は、その両端が、前記Ｂ梁の上端と同じく前記図５８（ａ），（ｂ），（ｃ），（ｄ）と同様に支持されることに加えて、図５９に示すようにして壁に支持される。即ち、図５９（ａ），（ｂ），（ｃ）は、前記図５８（ａ），（ｂ），（ｃ），（ｄ）と同様の端部の架け方の他に、屋根梁・小梁端部１５１，１５２，１５３の架け方をそれぞれ例示したものである。
【０１６１】
図５９（ａ）は梁受け合板が水平納まりの場合を示すもので、屋根梁・小梁端部１５１は、前記図５８（ａ），（ｂ），（ｃ），（ｄ）と同様の端部の架け方に加えて、図示のように、Ｂ梁（登り折れ梁）１５５の折れ部に３０ｍｍ下りで水平納まりに接合された補強合板１５６に前記形状タイプＢの梁受け金物１６１を固定している。なお、この場合も、３０ｍｍ下りとするのは、梁断面よりサイズが１ランク下の梁受け金物１６１を使用するためである。
【０１６２】
このように、形状タイプＢの梁受け金物１６１（記号ＮＣ〜ＮＩ）に屋根梁・小梁端部１５１（この場合は小梁端部）を接着および釘止めにより固定している。なお、参考までに、小梁断面は、ＷＢ，ＷＣ，ＷＤの３サイズがあり、これに対応してサイズが１ランク下となるＮＡ，ＮＢ，ＮＣの梁受け金物がそれぞれ用意される。また、屋根梁断面は、ＷＢ，ＷＣ，ＷＤ，ＷＥ，ＷＦ，ＷＧ，ＷＨ，ＷＩ，ＷＪの９サイズがあり、これに対応してサイズが１ランク下となるＮＡ，ＮＢ，ＮＣ，ＮＤ，ＮＥ，ＮＦ，ＮＧ，ＮＨ，ＮＩの梁受け金物がそれぞれ用意される。
【０１６３】
また、図５９（ｂ），（ｃ）は梁受け合板が勾配納まりの場合の態様をそれぞれ示すものである。先ず、図５９（ｂ）に示すように、Ｂ梁１５７の傾斜部（登り部）に勾配納まりの補強合板１５８を介して前記形状タイプＣの梁受け金物１６２を固定している。この場合、勾配の左下がり、右下がりに合わせてＬ型・Ｒ型のいずれかの梁受け金物１６２を使用する。
【０１６４】
また、図５９（ｃ）に示すように、壁（屋切パネル等）１６５の傾斜部に勾配納まりの補強合板１６６を介して前記形状タイプＣの梁受け金物１６３を固定している。この場合も、勾配の左下がり、右下がりに合わせてＬ型・Ｒ型のいずれかの梁受け金物１６６を使用する。
【０１６５】
このように、形状タイプＣの梁受け金物１６２，１６３（記号ＮＡＬ〜ＮＪＬ，ＮＡＲ〜ＮＪＲ）に屋根梁・小梁端部１５２，１５３（図５９（ｂ）の場合は小梁端部）を接着および釘止めによりそれぞれ固定している。なお、参考までに、屋根梁・小梁断面は、ＷＡ，ＷＢ，ＷＣ，ＷＤ，ＷＥ，ＷＦ，ＷＧ，ＷＨ，ＷＩ，ＷＪの１０サイズがあり、これに対応して同サイズで形状が左右対称となるＮＡＬ，ＮＢＬ，ＮＣＬ，ＮＤＬ，ＮＥＬ，ＮＦＬ，ＮＧＬ，ＮＨＬ，ＮＩＬ，ＮＪＬ，ＮＡＲ，ＮＢＲ，ＮＣＲ，ＮＤＲ，ＮＥＲ，ＮＦＲ，ＮＧＲ，ＮＨＲ，ＮＩＲ，ＮＪＲの梁受け金物がそれぞれ用意される。
【０１６６】
次に、以上のような各種形状タイプおよびサイズを有する梁受け金物の小屋梁両端への割り付けについて、図６０のフローチャートを参照しながら説明する。なお、この処理では、前記図４９のフローチャートのステップＳ１１１の具体的内容を行うものであり、即ち、梁受け金物の形状タイプＡ、Ｂ、Ｃを選択する。
【０１６７】
先ず、ステップＳ１２１において、Ｂ梁の下端側である場合には、ステップＳ１２２に進み、また、Ｂ梁の下端側ではない場合には、ステップＳ１２４に進む。そして、Ｂ梁の下端側である場合のステップＳ１２２では、そのＢ梁の登り長さが１モジュール以上である場合には、ステップＳ１２３に進み、また、Ｂ梁の登り長さが１モジュール未満である場合には、前記ステップＳ１２４に進む。さらに、ステップＳ１２３で、形状タイプＡを選択してから、前記ステップＳ１２２に戻って以上の処理を繰り返す。
【０１６８】
また、Ｂ梁の下端側ではない場合のステップＳ１２４では、その梁の直上屋根裏面を検索してから、次のステップＳ１２５に進む。そして、ステップＳ１２５において、その梁の線分平行軸方向と直上屋根の流れ方向が異なる方向であって、棟線、隅棟線、谷棟線の直下ではなく、かつ、その梁と屋根裏面迄の距離が（０＜距離＜５０）の範囲内である場合には、ステップＳ１２６に進み、また、梁の線分平行軸方向と直上屋根の流れ方向が同じ方向であって、棟線、隅棟線、谷棟線の直下であり、かつ、その梁と屋根裏面迄の距離が（０＜距離＜５０）の範囲外である場合には、ステップＳ１２８に進む。
【０１６９】
即ち、梁の線分平行軸方向と直上屋根の流れ方向が異なる方向であって、棟線、隅棟線、谷棟線の直下ではなく、かつ、その梁と屋根裏面迄の距離が（０＜距離＜５０）の範囲内である場合のステップＳ１２６では、屋根の流れ方向によりＲ・Ｌを判定して、次のステップＳ１２７で、形状タイプＣを選択してから、前記ステップＳ１２５に戻って以上の処理を繰り返す。
【０１７０】
また、梁の線分平行軸方向と直上屋根の流れ方向が同じ方向であって、棟線、隅棟線、谷棟線の直下であり、かつ、その梁と屋根裏面迄の距離が（０＜距離＜５０）の範囲外である場合のステップＳ１２８では、形状タイプＢを選択してから、処理を終了する。
【０１７１】
以上において、前述した通り、「形状タイプＡ」および「形状タイプＣ」の梁受け金物は梁材の断面高さと等しい物を選ぶ。また、「形状タイプＢ」の梁受け金物については、Ｂ梁の下端部で、梁の登り長さが１モジュール未満の時、または、梁が垂直納まりで配置されている時のいずれかを満たす時に、１ランク下の梁受け金物を選択する。
【０１７２】
以上の通り、ＣＡＤシステム上において、屋根に割り付けられる小屋梁、その梁受け金物および屋根パネルを適切に選択できるため、前記補助記憶装置１２に記憶された部材としての小屋梁、梁受け金物および屋根パネルのデータから、割り付けられた小屋梁、梁受け金物および屋根パネルの発注用製品コードＮｏ．や単価を検索することにより、屋根の部分の見積書や小屋梁、梁受け金物および屋根パネルの発注書を作成することが可能となる。なお、屋根パネルは平面図上で割り当てられるが、平面図上の屋根パネルの形状と屋根の勾配から対応する形状の実際の屋根パネルが選択される。
【０１７３】
そして、以上のような構成の割付装置によれば、演算処理装置１１（基準線作成手段）が、平面図上の屋根面に、補助記憶装置１２から読み出した許容値もしくは製造される屋根パネルの長さの最大値毎に、相対母屋線を作成し、また、許容値毎に、候補母屋線を作成するので、傾斜した屋根面からなる屋根へ小屋梁および屋根パネルを配置する際の基準となる母屋線（前記相対母屋線および前記候補母屋線）を、平面図上において、屋根の強度と、屋根の傾斜方向の長さと屋根パネルの長さとの関係とを考慮して作成することができる。
すなわち、従来と異なり、母屋線の作成において、屋根勾配上で屋根パネルを割り付けた後に、各屋根面の傾斜角と屋根パネルのサイズを元にして、平面図上で母屋線を引くべき位置（小屋梁の位置）を算出する必要がなくなるので、屋根勾配上で屋根パネルを割り付ける作業が不要となり、平面図上のみで母屋線を引くべき位置を決定できる。したがって、従来に比べて、より容易に母屋線を作成できる。
また、その作成された相対母屋線および候補母屋線に基づいて、小屋梁および屋根パネルを効率よく割り付けることができる。したがって、屋根の強度を保証しながら平面図上で効率よく小屋梁および屋根パネルを割り付けることが可能となり、従来のように屋根勾配上で屋根パネルの割り付けを考えた場合に比較して、容易に小屋梁および屋根パネルの割り付けを行うことができる。
また、演算処理装置１１（基準線作成手段、梁受け金物割付手段）が、屋根パネルがそれに敷設される屋根葺材および屋根上の積雪等による荷重に耐え得る長さである許容値分の間隔をあけて母屋線を作成し、この母屋線に沿って割り付けられる小屋梁の両端に配置する梁受け金物の種類を決定するので、屋根パネルが荷重を耐え得る最大の間隔で、小屋梁および該小屋梁の両端に位置する梁受け金物を配置できる。したがって、屋根面に比較的大きい屋根パネルを割り付けることができる。
【０１７４】
また、谷隅を持つ形状の複雑な屋根においても、前記絶対母屋線を作成して、屋根面の全体もしくは一部を上下に分割して屋根パネルの割り付けを行うことにより、屋根のうちの形状の複雑な屋根面を絶対母屋線により簡単な形状の屋根面に置き換えて、容易に屋根パネルの割り付けを行うことができる。さらに、絶対母屋線の長さを棟線の延長線もしくは前記補助線で限定することにより、屋根パネルを容易に割り付けられるようにするとともに、比較的大きい屋根パネルを優先的に割り付けることが可能となる。
【０１７５】
そして、屋根面に比較的大きい屋根パネルを割り付けられることから、屋根パネルの生産現場において、生産効率の悪い小さな屋根パネルの生産を削減し、生産効率の良い大きな屋根パネルの割合を高めることができるので、屋根パネルの生産効率を上げることができる。また、比較的大きい屋根パネルが割り付けられることにより、屋根面に割り付けられる屋根パネルの数を削減することが可能となり、建築現場における屋根パネルの接合作業を省力化することができる。
【０１７６】
以上のことから、この実施例の割付装置によれば、屋根パネルの製造から屋根の施工における生産効率を向上させることができるので、住宅の製造コストを低減することができる。
【０１７７】
なお、以上の実施例においては、各種タイプの屋根について説明したが、本発明はこれに限定されるものではなく、他の複雑なタイプの屋根であっても適用可能である。また、パネルや小屋梁、その梁受け金物の構成等も任意であり、その他、具体的な細部構造等についても適宜に変更可能であることは勿論である。
【０１７８】
【発明の効果】
以上のように、本発明に係る小屋梁受け金物割付装置によれば、形状記憶手段から読み出された平面図上の屋根面に、その屋根面の傾斜方向に、屋根パネルがそれに敷設される屋根葺材および屋根上の積雪等による荷重に耐え得る、前記傾斜方向に沿った前記屋根パネルの平面図上の長さである許容値分の間隔をあけて、基準線作成手段により作成した基準線に沿って割り付けられる小屋梁に対応して、その両端に配置する梁受け金物の種類を梁受け金物割付手段により決定するため、屋根面に配置する屋根パネルの接合部や中間部を支持する小屋梁の補強用の梁受け金物の割り付けを効率よく自動的に行うことができる。
また、基準線作成手段が、平面図上の屋根面に、屋根面の傾斜方向に沿った屋根パネルの平面図上の長さである許容値分の間隔をあけて、基準線を作成するので、屋根勾配上で屋根パネルを割り付ける作業が不要となり、平面図上のみで基準線を引くべき位置を決定できる。したがって、従来に比べて、より容易に基準線を作成できる。
また、基準線作成手段が、屋根パネルがそれに敷設される屋根葺材および屋根上の積雪等による荷重に耐え得る長さである許容値分の間隔をあけて、基準線を作成し、小屋梁受け金物割付手段が、基準線に沿って割り付けられる小屋梁の両端に配置する梁受け金物の種類を決定するので、屋根パネルが荷重を耐え得る最大の間隔で、小屋梁および該小屋梁の両端に位置する梁受け金物が配置されることになる。したがって、屋根面に比較的大きい屋根パネルが割り付けられることになる。
そして、屋根面に比較的大きい屋根パネルを割り付けられることから、屋根パネルの生産現場において、生産効率の悪い小さな屋根パネルの生産を削減し、生産効率の良い大きな屋根パネルの割合を高めることができるので、屋根パネルの生産効率を上げることができる。また、比較的大きい屋根パネルが割り付けられることにより、屋根面に割り付けられる屋根パネルの数を削減することが可能となり、建築現場における屋根パネルの接合作業を省力化することができる。
以上のことから、屋根パネルの製造から屋根の施工における生産効率を向上させることができるので、住宅の製造コストを低減することができる。
【０１７９】
なお、請求項２記載のように、小屋梁をＢ梁と屋根梁と小梁とに分類してその納まりを区別することで、配置箇所の相違に梁受け金物を対応させることができる。
【０１８０】
そして、請求項３記載のように、梁受け金物を形状タイプＡ，Ｂ，Ｃに分けて、さらに、形状タイプＣの梁受け金物を屋根の流れ方向に対応した右下がりＲ型と左下がりのＬ型に分けることで、仕様の相違に合わせて梁受け金物を適切に割り付けることができる。
【０１８１】
また、請求項４記載や請求項５記載のように、梁断面よりサイズが１ランク下の梁受け金物を使用することで、梁受け金物の取付位置を上下にずらした場合における小屋梁との取り合いを適切にすることができる。
【図面の簡単な説明】
【図１】本発明の小屋梁受け金物割付装置の基本構成を説明するためのブロック図である。
【図２】屋根の一例を示す斜視図である。
【図３】図２の屋根を支持する小屋梁を示す斜視図である。
【図４】同じく小屋梁を示す平面図である。
【図５】小屋組みに使用する梁の構成例を示す側面図である。
【図６】Ｂ梁のうちの曲がり梁（登り折れ梁）を示す側面図である。
【図７】Ｂ梁のうちの登り梁を示す側面図である。
【図８】本発明の小屋梁受け金物割付装置の基本構成を示すブロック図である。
【図９】小屋梁の配置例を示すもので、単純寄棟の場合のＢ梁の配置を示す平面図である。
【図１０】入母屋の場合のＢ梁の配置を示す平面図である。
【図１１】寄棟の場合の屋根梁の配置を示す平面図である。
【図１２】切妻の場合の屋根梁の配置を示す平面図である。
【図１３】入母屋の場合の屋根梁の配置を示す平面図である。
【図１４】寄棟の場合の母屋の配置を示す平面図である。
【図１５】入母屋の場合の母屋の配置を示す平面図である。
【図１６】割付装置による小屋梁の配置を説明するフローチャートである。
【図１７】積雪区域値より母屋の最大長を求めるデータテーブルを示す図表である。
【図１８】大梁の配置方向を求める条件を示す図表である。
【図１９】大梁を母屋線、妻壁に沿って配置する例を示す平面図である。
【図２０】大梁を母屋の最大長を越えないように配置する例を示す平面図である。
【図２１】小梁を母屋線、妻壁に沿って配置する例を示す平面図である。
【図２２】配置閉領域の取得方法を説明する平面図である。
【図２３】割付装置による大梁の配置を説明するフローチャートである。
【図２４】配置領域に入っている母屋線、妻壁の例を示す平面図である。
【図２５】母屋線、妻壁を通り、配置方向に配置領域を遮る線分を説明するもので、（ａ）は遮る線分が無い場合の平面図、（ｂ）は遮る線分が有る場合の平面図である。
【図２６】Ｂ梁になるケースを示す平面図である。
【図２７】屋根梁になるケースを示す平面図である。
【図２８】割付装置によるＢ梁をデータベースに登録する処理を説明するフローチャートである。
【図２９】Ｂ梁位置座標の高い方の点を基にした線分を求める例を示す側面図である。
【図３０】納まりの設定（垂直納まり）を示す側面図である。
【図３１】線分と屋根面の交点を求める例を示す側面図である。
【図３２】交点が線分の端点以外にあるときを示すもので、（ａ）は交点の位置を示す側面図、（ｂ）は登り折れ梁の配置を示す側面図である。
【図３３】交点が線分の端点にあるときを示すもので、（ａ）は交点の位置を示す側面図、（ｂ）は登り梁の配置を示す側面図である。
【図３４】割付装置による屋根梁をデータベースに登録する処理を説明するフローチャートである。
【図３５】勾配納まりを示す側面図である。
【図３６】納まりの区別のデータテーブルを示す図表である。
【図３７】割付装置による大梁を母屋の最大長を越えないようにデータベースに登録する処理を説明するフローチャートである。
【図３８】区画に含まれる大梁を求める例を示す平面図である。
【図３９】区画において、配置間隔を調べる例を示す平面図である。
【図４０】カレントの大梁から次の大梁方向への配置間隔分移動した点を求める例を示す平面図である。
【図４１】区画において、配置間隔が母屋の最大スパンを越えているとき、母屋の最大スパンを越えないように配置する例を示す平面図である。
【図４２】割付装置による母屋を母屋線に沿ってデータベースに登録する処理を説明するフローチャートである。
【図４３】同じく母屋を母屋線に沿ってデータベースに登録する処理を説明するフローチャートである。
【図４４】配置領域内の母屋線、妻壁を検索する例を示す平面図である。
【図４５】検索した母屋線、または妻壁の従属軸を調べる例を示す平面図である。
【図４６】母屋線、または妻壁と大梁の交点を求める例を示す平面図である。
【図４７】母屋線、または妻壁の端点が交点に含まれていないケースを示すもので、（ａ）大梁が横方向の場合の平面図、（ｂ）は大梁が縦方向の場合の平面図である。
【図４８】カレントの交点と次の交点を母屋の端点とする例を示すもので、（ａ）は始めの母屋の配置を示す平面図、（ｂ）は次の母屋の配置を示す平面図である。
【図４９】本発明の小屋梁受け金物割付装置による梁受け金物を配置する処理を説明するフローチャートである。
【図５０】梁受け金物を例示したもので、（ａ）は上側縁を水平とした梁受け金物の斜視図、（ｂ）は上側縁を斜めとした梁受け金物の斜視図である。
【図５１】上側縁と水平とした梁受け金物の異なる形状タイプを示すもので、（Ａ）は形状タイプＡの梁受け金物の正面図、（Ｂ）は形状タイプＢの梁受け金物の正面図である。
【図５２】上側縁を斜めとした梁受け金物の異なる型を示すもので、（Ｌ）は形状タイプＣで左下がりのＬ型の梁受け金物の正面図、（Ｒ）は同じく形状タイプＣで右下がりのＲ型の梁受け金物の正面図である。
【図５３】梁受け金物の配置位置を例示したもので、（ａ）は壁に梁材を配置した状態の平面図、（ｂ）は同じく壁に梁材を配置した状態の側面図である。
【図５４】本発明の小屋梁受け金物割付装置による梁受け金物を割り付ける順序を示す図表である。
【図５５】Ｂ梁と屋根梁および小梁を例示したもので、（ａ）は登り長さ１モジュール以上の登り梁の側面図、（ｂ）は同じく登り長さ１モジュール以上の登り折れ梁の側面図、（ｃ）は登り長さ１モジュール未満の登り折れ梁の側面図、（ｄ）は屋根梁および小梁の側面図である。
【図５６】登り長さ１モジュール以上のＢ梁下端の架け方を例示したもので、（ａ）は側面図、（ｂ）は正面図である。
【図５７】登り長さ１モジュール未満のＢ梁下端の架け方を例示したもので、（ａ）は側面図、（ｂ）は正面図である。
【図５８】Ｂ梁上端の架け方を例示したもので、（ａ），（ｂ），（ｃ），（ｄ）は梁受け合板が水平納まりの場合の態様をそれぞれ示す各正面図、（ｅ）は梁受け合板が勾配納まりの場合を示す正面図である。
【図５９】屋根梁および小梁の端部の架け方を例示したもので、（ａ）は梁受け合板が水平納まりの場合を示す正面図、（ｂ），（ｃ）は梁受け合板が勾配納まりの場合の態様をそれぞれ示す各正面図である。
【図６０】本発明の小屋梁受け金物割付装置による梁受け金物の形状を選択する処理を説明するフローチャートである。
【符号の説明】
Ｂ  小屋梁
Ｐ  屋根パネル
１  壁
２  屋根梁
３  Ｂ梁
３ａ  登り折れ梁
３ｂ  登り梁
４  小梁
５  陸梁
６  束
７  母屋
１１  演算処理装置（基準線作成手段（ＩＩ）、梁受け金物割付手段（ＩＩＩ））
１２  補助記憶装置（形状記憶手段（Ｉ））
２１  耐力壁線
２２  屋根面
２３  母屋線
２４，２５  Ｂ梁
２６，２７  屋根梁
２８，２９  母屋（小梁）
３１  稜線
３２  壁線
３３  母屋
３４  屋根梁
３５，３６  Ｂ梁
３７  母屋（小梁）
４１  壁線
４２  稜線
４３，４４，４５，４６，４７  Ｂ梁
４８  屋根梁
５１  稜線
５２  壁線
５３，５５  線分
５４  交点
５６  登り梁
５７  登り折れ梁
６１  稜線
６２  壁線
６３，６６  Ｂ梁
６４  カレントの梁
６５  次の梁
７１  配置領域
７２  母屋線
７３  大梁
７４  交点
７５  母屋（小梁）
８０ａ，８０ｂ  梁受け金物
８１ａ，８１ｂ  基板部
８２ａ  水平折り曲げ片
８２ｂ  斜め折り曲げ片
８３  梁受け部
９０  壁
９１  梁材
９２  梁受け金物の配置位置
９３  梁受け金物配置高さ
９４  梁材の配置高さ
９５  梁断面高さ
１０１  登り梁
１０２，１０３  登り折れ梁
１０４  屋根梁
１０５  小梁
１１１  Ｂ梁下端
１１２  壁
１１３  結合桁
１１４  補強合板
１１５  梁受け金物（形状タイプＡ）
１２１  Ｂ梁下端
１２２  壁
１２３  結合桁
１２４  補強合板
１２５  梁受け金物（形状タイプＢ）
１３１，１３２，１３３，１３４，１３５  Ｂ梁上端
１３６ａ，１３６ｂ，１３６ｃ，１３６ｄ，１３６ｅ  壁
１３７ａ，１３７ｂ，１３７ｃ，１３７ｄ，１３７ｅ  補強合板
１３８ｂ，１３８ｃ，１３８ｄ  梁受材
１３９  屋切・小屋パネル
１４１，１４２，１４３，１４４  梁受け金物（形状タイプＢ）
１４５  梁受け金物（形状タイプＣ）
１４６  屋切パネル
１５１，１５２，１５３  屋根梁・小梁端部
１５５  Ｂ梁（登り折れ梁）
１５６  補強合板
１５７  Ｂ梁
１５８  補強合板
１６１  梁受け金物（形状タイプＢ）
１６２，１６３  梁受け金物（形状タイプＣ）
１６５  壁
１６６  補強合板
【図１】
0003679138.tif 000002
【図２】
0003679138.tif 000003
【図３】
0003679138.tif 000004
【図４】
0003679138.tif 000005
【図５】
0003679138.tif 000006
【図６】
0003679138.tif 000007
【図７】
0003679138.tif 000008
【図８】
0003679138.tif 000009
【図９】
0003679138.tif 000010
【図１０】
0003679138.tif 000011
【図１１】
0003679138.tif 000012
【図１２】
0003679138.tif 000013
【図１３】
0003679138.tif 000014
【図１４】
0003679138.tif 000015
【図１５】
0003679138.tif 000016
【図１６】
0003679138.tif 000017
【図１７】
0003679138.tif 000018
【図１８】
0003679138.tif 000019
【図１９】
0003679138.tif 000020
【図２０】
0003679138.tif 000021
【図２１】
0003679138.tif 000022
【図２２】
0003679138.tif 000023
【図２３】
0003679138.tif 000024
【図２４】
0003679138.tif 000025
【図２５】
0003679138.tif 000026
【図２６】
0003679138.tif 000027
【図２７】
0003679138.tif 000028
【図２８】
0003679138.tif 000029
【図２９】
0003679138.tif 000030
【図３０】
0003679138.tif 000031
【図３１】
0003679138.tif 000032
【図３２】
0003679138.tif 000033
【図３３】
0003679138.tif 000034
【図３４】
0003679138.tif 000035
【図３５】
0003679138.tif 000036
【図３６】
0003679138.tif 000037
【図３７】
0003679138.tif 000038
【図３８】
0003679138.tif 000039
【図３９】
0003679138.tif 000040
【図４０】
0003679138.tif 000041
【図４１】
0003679138.tif 000042
【図４２】
0003679138.tif 000043
【図４３】
0003679138.tif 000044
【図４４】
0003679138.tif 000045
【図４５】
0003679138.tif 000046
【図４６】
0003679138.tif 000047
【図４７】
0003679138.tif 000048
【図４８】
0003679138.tif 000049
【図４９】
0003679138.tif 000050
【図５０】
0003679138.tif 000051
【図５１】
0003679138.tif 000052
【図５２】
0003679138.tif 000053
【図５３】
0003679138.tif 000054
【図５４】
0003679138.tif 000055
【図５５】
0003679138.tif 000056
【図５６】
0003679138.tif 000057
【図５７】
0003679138.tif 000058
【図５８】
0003679138.tif 000059
【図５９】
0003679138.tif 000060
【図６０】
0003679138.tif 000061